(57)【要約】【課題】建物躯体の出隅部との間の止水性を好適に維持することができるバルコニーを提供すること。【解決手段】バルコニー１０は、建物躯体の出隅部８を構成する外壁面８１，８２に沿ってそれぞれ設置される第一床組部および第二床組部と、第一床組部および第二床組部に連続して設置される出隅床組部とを有している。第一床組部、第二床組部および出隅床組部には、複数のデッキ材１１が並設されている。中間根太３３Ａ，３３Ｂの端部には建物躯体に対する取付用縦枠３５がそれぞれあり、中間根太３３Ａ，３３Ｂおよび取付用縦枠３５間には、コーナーエッジ８Ａに沿った止水板５１，５２が介在されている。各取付用縦枠３５は、止水板５１，５２を外壁面８１，８２から離間して配置可能とする厚さ寸法Ｃを有している。【選択図】図３
2019065583.tif 000002
【特許請求の範囲】
【請求項１】
建物躯体の出隅部に沿って設置可能な床組部に複数のデッキ材が並設されて構成されるバルコニーであって、
前記床組部は、建物躯体の出隅部を構成する二つの外壁面のうちの一方の外壁面に沿って設置される第一床組部と、前記二つの外壁面のうちの他方の外壁面に沿って設置される第二床組部と、前記第一床組部および前記第二床組部に連続して設置される出隅床組部とを有しており、
前記第一床組部、前記第二床組部および前記出隅床組部には、前記複数のデッキ材が配置されており、
前記第一床組部および前記出隅床組部の連続部分には、第一中間根太が配置されており、
前記第二床組部および前記出隅床組部の連続部分には、第二中間根太が配置されており、
前記第一中間根太および前記第二中間根太の端部は、前記外壁面に固定される取付部材にそれぞれ取り付けられており、
前記第一中間根太および前記第二中間根太の一方の端部と前記取付部材との間には、建物躯体の出隅部のコーナーエッジに沿って配置される止水板が介在されている、
ことを特徴とするバルコニー。
【請求項２】
請求項１に記載のバルコニーにおいて、
前記出隅床組部は、前記第一中間根太および前記第二中間根太のうちの一方の中間根太の側面に沿って取り付けられた持出し材と、前記持出し材に沿って取り付けられたカバー材とを有しており、
前記カバー材は、その幅方向において前記持出し材に対する取付部分から当該持出し材に隣り合う前記デッキ材までにわたって配置されており、
前記カバー材の長手方向における一方の端部は、前記取付部材および前記止水板によって形成されるシール用空間の上方に配置されている
ことを特徴とするバルコニー。
【請求項３】
請求項２に記載のバルコニーにおいて、
前記カバー材は、前記持出し材に対する取付部分から当該持出し材に隣り合う前記デッキ材の上面まで延びている
ことを特徴とするバルコニー。
【請求項４】
請求項２または請求項３に記載のバルコニーにおいて、
前記一方の中間根太には、その幅方向に延出した延出片部が形成されており、
前記持出し材は、前記延出片部に載置される上片部が形成されている
ことを特徴とするバルコニー。
【発明の詳細な説明】
【技術分野】
【０００１】
本発明は、戸建て住宅等の建物躯体の出隅部に沿って設置される出隅納まりのバルコニーに関する。
【背景技術】
【０００２】
従来、建物躯体の出隅部に沿って設置された出隅納まりのバルコニーが知られている（非特許文献１の２ページ上部「出隅」を参照）。
このバルコニーは、図５に示すように、建物躯体の出隅部１を構成する二つの外壁面２，３のうちの一方の外壁面２に沿って設置された第一床組部５と、他方の外壁面３に沿って設置された第二床組部６と、第一床組部５および第二床組部６に連続して設置された出隅床組部７とによって構成されている。第一床組部５および出隅床組部７には、複数のデッキ材４が同方向に沿って配置されており、第二床組部６には、第一床組部５および出隅床組部７における複数のデッキ材４の長手方向と交差する方向に沿った複数のデッキ材４が配置されている。
【先行技術文献】
【非特許文献】
【０００３】
【非特許文献１】「’１０−１２月改訂  組立・施工説明書  バルコニーＢＣ−Ｘ型」、’１４−１０月発行、２ページ、ＹＫＫＡＰ、［２０１７年９月１４日検索］、インターネット（http://manualweb.ykkap.co.jp/pdf_inter/100050/96770B409B00.pdf）
【発明の概要】
【発明が解決しようとする課題】
【０００４】
ところで、非特許文献１に記載のバルコニーでは、出隅床組部７に配置されたデッキ材４が出隅部１のコーナーエッジ１Ａに当接しており、この当接部分にシール材によるシーリングが施されている。ここで、デッキ材４上を人が通ることなどによってデッキ材４に鉛直荷重が加わると、デッキ材４が若干撓んでコーナーエッジ１Ａに対して位置ズレを生じることがある。この位置ズレが生じると、コーナーエッジ１Ａおよびデッキ材４間のシールが切れて止水性が低下するおそれがあり、止水性を維持するためには十分にシーリングを施す必要がある。
【０００５】
本発明の目的は、建物躯体の出隅部との間の止水性を好適に維持することができるバルコニーを提供することにある。
【課題を解決するための手段】
【０００６】
本発明のバルコニーは、建物躯体の出隅部に沿って設置可能な床組部に複数のデッキ材が並設されて構成されるバルコニーであって、前記床組部は、建物躯体の出隅部を構成する二つの外壁面のうちの一方の外壁面に沿って設置される第一床組部と、前記二つの外壁面のうちの他方の外壁面に沿って設置される第二床組部と、前記第一床組部および前記第二床組部に連続して設置される出隅床組部とを有しており、前記第一床組部、前記第二床組部および前記出隅床組部には、前記複数のデッキ材が配置されており、前記第一床組部および前記出隅床組部の連続部分には、第一中間根太が配置されており、前記第二床組部および前記出隅床組部の連続部分には、第二中間根太が配置されており、前記第一中間根太および前記第二中間根太の端部は、前記外壁面に固定される取付部材にそれぞれ取り付けられており、前記第一中間根太および前記第二中間根太の一方の端部と前記取付部材との間には、建物躯体の出隅部のコーナーエッジに沿って配置される止水板が介在されていることを特徴とする。
本発明のバルコニーによれば、第一中間根太および第二中間根太の一方の端部に前述した止水板および取付部材を配置することで、建物躯体の外壁面、取付部材および止水板によってシール用空間を区画することができ、外壁面およびデッキ材間にシーリングを施すのではなく、このシール用空間にバックアップ材およびシール材を施工することで、人が通ることなどによるデッキ材の撓みの影響を受けることのないシール構造を構成することができる。これにより、建物躯体の出隅部とバルコニーとの止水性を好適に維持することができる。
【０００７】
本発明のバルコニーでは、前記出隅床組部は、前記第一中間根太および前記第二中間根太のうちの一方の中間根太の側面に沿って取り付けられた持出し材と、前記持出し材に沿って取り付けられたカバー材とを有しており、前記カバー材は、その幅方向において前記持出し材に対する取付部分から当該持出し材に隣り合う前記デッキ材までにわたって配置されており、前記カバー材の長手方向における一方の端部は、前記取付部材および前記止水板によって形成されるシール用空間の上方に配置されていることが好ましい。
このような構成によれば、建物躯体の出隅部のコーナーエッジから外壁面に沿って離れた位置に取付部材が固定され、前記一方の中間根太がこの取付部材に取り付けられる場合には、この一方の中間根太もコーナーエッジから外壁面に沿って離れた位置に配置されることとなって出隅床組部に設置されるデッキ材からも離れて位置する。このような場合に、例えばこの一方の中間根太に根太掛けが取り付けられていると、根太掛けがデッキ材から離れて配置されることとなってデッキ材を根太掛けに適切に掛けられない取り合いとなるおそれがある。しかし、本発明では、一方の中間根太の側面に持出し材を取り付けるので、この持出し材に根太掛けを取り付けることで、根太掛けを根太に近い位置に配置することができて根太を適切に掛けられる取り合いとすることができる。
更に、前述したように持出し材にカバー材を取り付けることで、持出し材およびデッキ材間の隙間とシール用空間との双方を上方から覆うことができる。また、人が通るなどしてカバー材に鉛直荷重が加わって若干撓んでも、シール用空間におけるシール部分は何らの影響も受けないので止水性を維持することができる。
【０００８】
本発明のバルコニーでは、前記カバー材は、前記持出し材に対する取付部分から当該持出し材に隣り合う前記デッキ材の上面まで延びていることが好ましい。
このような構成によれば、持出し材に隣り合うデッキ材が熱反りなどによってその側縁部が上方へ突出しようとしても、カバー材によってデッキ材の上面を押えることで前記突出を抑制することができる。また、このように抑制することで、前記デッキ材の熱反りなどによる側縁部の上方への突出を考慮して第二中間根太を当該デッキ材よりも高い位置に配置する必要性を低くすることができる。このため、前述した一方の中間根太とデッキ材との上下方向における段差を小さくする寸法設計とすることができる。
【０００９】
本発明のバルコニーでは、前記一方の中間根太には、その幅方向に延出した延出片部が形成されており、前記持出し材は、前記延出片部に載置される上片部が形成されていることが好ましい。
このような構成によれば、持出し材の上片部を一方の中間根太の延出片部に載せることで、持出し材を一方の中間根太の側方に配置することができ、持出し材の一方の中間根太に対するネジ止めなどの固定作業を容易に行うことができる。
【発明の効果】
【００１０】
本発明によれば、建物躯体の出隅部との間の止水性を好適に維持することができるバルコニーを提供することができる。
【図面の簡単な説明】
【００１１】
【図１】本発明の実施形態に係るバルコニーを示す平面図。
【図２】前記実施形態に係るバルコニーの要部を示す斜視図。
【図３】前記実施形態に係るバルコニーの要部を一部省略して示す斜視図。
【図４】図２に示すＩＶ−ＩＶ線に沿った断面図。
【図５】従来のバルコニーを示す平面図。
【発明を実施するための形態】
【００１２】
［本実施形態の構成］
以下、本発明の実施形態を図面に基づいて説明する。
図１〜４において、本実施形態に係るバルコニー１０は、戸建て住宅等の建物躯体の出隅部８に沿って設置される柱建式出隅納まりのバルコニーであり、出隅部８を構成する二つの互いに交差する外壁面８１，８２に沿った床組部２０に樹脂製の複数のデッキ材１１が並設されて構成されている。
以下の説明では、出隅部８に設置されたバルコニー１０の間口方向をＸ軸方向とし、バルコニー１０の上下方向をＹ軸方向とし、バルコニー１０の奥行方向をＺ軸方向とする。Ｘ，Ｙ，Ｚ軸方向は互いに直交している。
【００１３】
床組部２０は、図１に示す立設された複数の支柱２５に支持されており、第一床組部２１と、第二床組部２２と、出隅床組部２３とを有している。第一床組部２１は、建物躯体の出隅部８を構成する二つの外壁面８１，８２のうちの一方の外壁面８１に沿って設置されており、第二床組部２２は、他方の外壁面８２に沿って設置されており、出隅床組部２３は、第一床組部２１および第二床組部２２に連続して設置されている。
【００１４】
第一床組部２１は、前桁（桁材）３１と、妻梁（梁材）３２と、中間根太（第一中間根太）３３Ａと、複数の根太とを備えている。
前桁３１の両端は支柱２５に取り付けられており、妻梁３２は、その一端が支柱２５に取り付けられていると共にその他端が外壁面８１に取り付けられており、中間根太３３Ａは、その一端が支柱２５に取り付けられていると共にその他端が取付部材である取付用縦枠３５（図３参照）によって外壁面８１に取り付けられており、複数の根太の両端は、前桁３１および外壁面８１に取り付けられた根太掛けに掛けられている。第一床組部２１の根太掛けには符号を付していないが、図４に示す出隅床組部２３の根太掛け３６と同じものである。取付用縦枠３５の上端にはキャップ３５Ａ（図２参照）が取り付けられている。
妻梁３２の一方の側面には、第一床組部２１に配置された複数のデッキ材１１の一端を受けるデッキ材受けが取り付けられており、中間根太３３Ａの一方の側面には、第一床組部２１における複数のデッキ材１１の他端を受けるデッキ材受けが取り付けられている。妻梁３２および中間根太３３Ａには、前述した各デッキ材受けに対して上方に位置するカバー材３８が取り付けられている。
この第一床組部２１においては、前桁３１はＺ軸方向に沿って配置されており、妻梁３２、中間根太３３Ａおよび複数の根太はＸ軸方向に沿って配置されている。また、第一床組部２１における複数の根太には、複数のデッキ材１１がＺ軸方向に沿って載置されてネジ止めされている。
なお、第一床組部２１に配置されたデッキ材１１と外壁面８１との間はシールカバー１２によってシールされている。
【００１５】
第二床組部２２は、前述した前桁３１、妻梁３２および複数の根太と、中間根太３３Ａと同じ断面形状の中間根太（第二中間根太、出隅用根太）３３Ｂとを備えている。
ここで、中間根太３３Ｂは、図４に示すように、上片部３３１、一対の側片部３３２，３３３および下片部３３４を有した根太本体部３３５と、根太本体部３３５の幅方向において側片部３３２，３３３からそれぞれ延出した延出片部３３６，３３７とを有している。
上片部３３１、一対の側片部３３２，３３３および下片部３３４はホローを形成している。中間根太３３Ｂは、その一端が支柱２５に取り付けられていると共に他端が取付部材である取付用縦枠３５によって外壁面８２に取り付けられている。この取付用縦枠３５の上端にはキャップ３５Ａが取り付けられている。
この第二床組部２２においては、前桁３１はＸ軸方向に沿って配置されており、妻梁３２、中間根太３３Ｂおよび複数の根太はＺ軸方向に沿って配置されている。また、第二床組部２２における複数の根太には、複数のデッキ材１１がＸ軸方向に沿って載置されてネジ止めされている。なお、第二床組部２２の複数の根太の建物躯体側における端部が掛けられる根太掛けには、符号を付していないが図４に示す出隅床組部２３の根太掛け３６と同じものであり、外壁面８２に取り付けられている。また、第二床組部２２の妻梁３２の一方の側面にはデッキ材受けが取り付けられており、中間根太３３Ｂの一方の側面には、断面コ字形状の雨樋部を有したデッキ材受け３７が取り付けられており、このデッキ材受け３７よりも上方に位置した延出片部３３６にはカバー材３８が取り付けられている。カバー材３８は、延出片部３３６から中間根太３３Ｂに隣り合うデッキ材１１の上面までにわたって配置されている。
なお、第二床組部２２に配置されたデッキ材１１と外壁面８２との間はシールカバー１２によってシールされている。
【００１６】
出隅床組部２３は、前桁（桁材）４１と、妻梁（梁材）４２と、複数の根太４４（図４参照）とを備えている。また、出隅床組部２３は、中間根太３３Ａ，３３Ｂを第一床組部２１および第二床組部２２と共有しており、これにより、中間根太３３Ａは第一床組部２１および出隅床組部２３の連続部分に位置し、中間根太３３Ｂは第二床組部２２および出隅床組部２３の連続部分に位置することとなる。中間根太３３Ｂの側片部３３３には、持出し材４５が取り付けられている。
前桁４１は、その両端が支柱２５に取り付けられていると共にＺ軸方向に沿って配置されている。妻梁４２は、その両端が支柱２５に取り付けられていると共にＸ軸方向に沿って配置されている。複数の根太４４は、前桁４１および持出し材４５に取り付けられた根太掛け３６に掛けられていると共にＸ軸方向に沿って配置されている。
妻梁４２の一方の側面には、複数のデッキ材１１の一端を受けるデッキ材受けが取り付けられており、中間根太３３Ａの他方の側面には、前記デッキ材１１の他端を受けるデッキ材受け３９（図３参照）がそれぞれ取り付けられている。妻梁４２および中間根太３３Ａには、前述した各デッキ材受けに対して上方に位置するカバー材３８が取り付けられている。出隅床組部２３における複数の根太には、複数のデッキ材１１がＺ軸方向に沿って載置されてネジ止めされている。
【００１７】
持出し材４５は、図４に示すように、断面略矩形状であって中空の本体部４５１と、本体部４５１から上方に立ち上げられた立上げ片部４５２と、立上げ片部４５２の上端部から一方の側方に延びた上片部４５３と、立上げ片部４５２の上端部から他方の側方に延びた取付片部４５４と、本体部４５１から一方の側方に延出した上下の固定片部４５６，４５７と、固定片部４５６，４５７間において本体部４５１から一方の側方に延出した当接片部４５８と、本体部４５１の下端部から他方の側方に延出した受け片部４５９とを有している。上片部４５３は延出片部３３７に載置されており、固定片部４５６，４５７は中間根太３３Ｂの側片部３３３にネジ止めされており、当接片部４５８の先端は側片部３３３に当接している。根太掛け３６は、本体部４５１の他方の側方側にネジ止めされており、受け片部４５９によって下方が受けられている。
このように中間根太３３Ｂに固定された持出し材４５に根太掛け３６が取り付けられているので、根太掛け３６は持出し材４５の幅寸法Ａ（受け片部４５９分の寸法を除く）分だけ出隅床組部２３における根太やデッキ材１１に近い位置に配置されることとなる。なお、持出し材４５は、建物躯体の外壁材の厚さ寸法に対応した幅寸法Ａとされていると、より好ましい。
【００１８】
持出し材４５の取付片部４５４には、カバー材４８がネジ止めされている。このカバー材４８は、持出し材４５の長手方向に沿って矩形板状に形成されており、取付片部４５４に取り付けられた取付部分から持出し材４５に隣り合うデッキ材１１の上面までにわたる幅寸法Ｂを有しており、このデッキ材１１の上面に当接している。なお、デッキ材１１のうちカバー材４８の下方に位置する側縁部には、断面略コ字形状の雨樋部が形成されている。
図２に示すように、カバー材４８の建物躯体側における端縁４８１には、出隅部８のうち外壁面８１，８２が交わる部分であるコーナーエッジ８Ａに沿った形状の段部４８２が形成されており、この段部４８２がコーナーエッジ８Ａに沿って配置されている。
このカバー材４８は、持出し材４５およびデッキ材１１間の隙間を上方から覆うと共に、後述するシール用空間９０（図３参照）を上方から覆っている。
【００１９】
以上のバルコニー１０において、各取付用縦枠３５および中間根太３３Ａ，３３Ｂ間には、図３に示すように止水板５１，５２がそれぞれ介在されている。
止水板５１は、取付用縦枠３５よりもＺ軸方向における前方（奥行前方）に向かって延出しており、止水板５２は、取付用縦枠３５よりもＸ軸方向における前桁４１側（間口側方）に向かって延出しており、取付用縦枠３５および中間根太３３Ｂ間に介在された止水板５２の側縁は、取付用縦枠３５および中間根太３３Ａ間に介在された止水板５１の一方面に当接している。
止水板５１は、中間根太３３Ａが取り付けられた取付用縦枠３５の図３に示す厚さ寸法Ｃ分だけ外壁面８１から離間して位置しており、止水板５２は、中間根太３３Ｂが取り付けられた取付用縦枠３５の厚さ寸法Ｃ分だけ外壁面８２から離間して位置している。このように各取付用縦枠３５および止水板５１，５２が外壁面８１，８２に対して配置されているので、外壁面８１，８２、各取付用縦枠３５および止水板５１，５２によって平面視略Ｌ字形状のシール用空間９０がコーナーエッジ８Ａに沿って形成される。シール用空間９０の上方には、図２に示すように前述したカバー材４８が配置されている。
このシール用空間９０には、バックアップ材およびシール材が施工されている。これにより、コーナーエッジ８Ａには、デッキ材１１と縁切りされたシール構造が構成されている。
【００２０】
［本実施形態の効果］
（１）本実施形態では、中間根太３３Ａ，３３Ｂおよび各取付用縦枠３５間には、建物躯体の出隅部８のコーナーエッジ８Ａに沿って配置される止水板５１，５２が介在されているので、外壁面８１，８２、各取付用縦枠３５および止水板５１，５２によって、デッキ材１１とは縁切りされたシール用空間９０を区画することができ、このシール用空間９０にバックアップ材およびシール材を施工することで、人が通ることなどによるデッキ材１１の撓みの影響を受けることのないシール構造を構成することができる。なお、コーナーエッジ８Ａに連続する外壁面８１，８２およびデッキ材１１間はシールカバー１２によってシールされる。これにより、建物躯体の出隅部８とバルコニー１０との止水性を好適に維持することができる。
（２）中間根太３３Ｂがコーナーエッジ８Ａから外壁面８２に沿ってＸ軸方向に離れた位置にあっても、中間根太３３Ｂの側面に持出し材４５が取り付けられており、この持出し材４５に根太掛け３６が取り付けられているので、根太掛け３６を出隅床組部２３に配置された複数の根太に近い位置に配置することができて複数の根太を適切に掛けられる取り合いとすることができる。
更に、持出し材４５にカバー材４８を取り付けることで、持出し材４５およびデッキ材１１間の隙間とシール用空間９０との双方を上方から覆うことができる。また、人が通るなどしてカバー材４８に鉛直荷重が加わって若干撓んでも、シール用空間９０におけるシール部分は何らの影響も受けないので止水性を維持することができる。
（３）カバー材４８が持出し材４５に対する取付部分からデッキ材１１の上面まで延びているので、持出し材４５に隣り合うデッキ材１１が熱反りなどによってその側縁部が上方へ突出しようとしても、カバー材４８によってデッキ材１１の側縁部の上面を押えることで前記突出を抑制することができる。また、このように抑制することで、デッキ材１１の熱反りなどによる側縁部の上方への突出を考慮して中間根太３３Ｂを当該デッキ材１１よりも高い位置に配置する必要性を低くすることができる。このため、中間根太３３Ｂとデッキ材１１とのＹ軸方向における段差を小さくする寸法設計とすることができる。
（４）持出し材４５の上片部４５３を中間根太３３Ｂの延出片部３３７に載せることで、持出し材４５を中間根太３３Ｂの側方に配置することができ、持出し材４５の中間根太３３Ｂに対するネジ止めなどの固定作業を容易に行うことができる。
【００２１】
［変形例］
本発明は、以上の実施形態で説明した構成のものに限定されず、本発明の目的を達成できる範囲での変形例は、本発明に含まれる。
例えば、前記実施形態では、中間根太３３Ｂに持出し材４５が取り付けられているが、根太やデッキ材１１との取り合いに対応して持出し材４５を用いた方が適切な取り合いとなる場合には、中間根太３３Ａにも持出し材４５が取り付けられてもよい。
前記実施形態では、持出し材４５に取り付けられたカバー材４８はデッキ材１１の上面まで延びているが、これよりも短く、デッキ材１１の側縁に隣接する位置まで延びた構成とされていてもよい。このようにカバー材４８が構成されていても、中間根太３３Ｂおよびデッキ材１１間の隙間を塞ぐことができる。
また、中間根太３３Ｂに持出し材４５を用いていなくてもよく、この場合には、出隅床組部２３に配置された複数の根太が掛けられる長片掛け片部を有した根太掛けを中間根太３３Ｂに取り付けてもよい。また、この場合、前記根太掛けにカバー材４８の取付片部を構成して、この取付片部にカバー材４８を取り付けてもよいが、中間根太３３Ｂおよび出隅床組部２３に配置されたデッキ材１１間の隙間が、人が通るのに支障とならない程度にまで小さい場合にはカバー材４８の構成を省略してもよい。
前記実施形態では、持出し材４５には中間根太３３Ｂの延出片部３３７に載せられる上片部４５３があるが、この構成を省略してもよい。
【符号の説明】
【００２２】
１，８…出隅部、４，１１…デッキ材、５，２１…第一床組部、６，２２…第二床組部、７，２３…出隅床組部、１０…バルコニー、１Ａ，８Ａ…コーナーエッジ、２，３，８１，８２…外壁面、２０…床組部、２５…支柱、３１，４１…前桁、３２，４２…妻梁、３３１，４５３…上片部、３３６，３３７…延出片部、３３Ａ，３３Ｂ…中間根太、４４…根太、３５…取付用縦枠（取付部材）、３６…根太掛け、３８，４８…カバー材、４５…持出し材、５１，５２…止水板、９０…シール用空間、Ａ，Ｂ…幅寸法、Ｃ…厚さ寸法。
【図１】
2019065583.tif 000003
【図２】
2019065583.tif 000004
【図３】
2019065583.tif 000005
【図４】
2019065583.tif 000006
【図５】
2019065583.tif 000007